(57)【要約】【課題】  消音器を管楽器に装着して吹奏したときにおいても、吹奏者にフィードバックされるべき振動や音を吹奏者が十分に受け取ることができる技術的手段を提供する。【解決手段】  本体部１０は、胴部１１と底部１２とから構成される。本体部１０には、ベル３内に生じる音を収音するマイクロフォン３３がパイプ３４および支持部３２を介して固定されている。マイクロフォン３３と信号出力部３５は信号線３４を介して接続されている。ベル３の外壁には、加振器２０が取り付けられる。加振器２０と信号出力部３５の間に信号処理部４０が接続される。加振器２０は、マイクロフォン３３が収音する音に基づいて動作する。これにより、管楽器が振動する。【選択図】図１
2015052655.tif 000002
【特許請求の範囲】
【請求項１】
後端側から管楽器のベルに挿入される本体部と、
前記本体部とともに前記ベルに挿入され、前記ベル内に生じる音を収音する収音手段と、
吹奏者にフィードバックする振動または音を前記収音手段が収音した音に基づいて生成する生成手段と、
を具備することを特徴とする消音器。
【請求項２】
前記生成手段は、前記管楽器を振動させる加振器であることを特徴とする請求項１に記載の消音器。
【請求項３】
前記生成手段は、前記本体部の前端に固定され、前記収音手段が収音した音を放音するスピーカであることを特徴とする請求項１に記載の消音器。
【請求項４】
前記本体部は、その前端と後端との間において内部の空間を前後に分ける閉塞部を有し、
前記閉塞部により分けられた前端側の空間をスピーカ用キャビティとしたことを特徴とする請求項３に記載の消音器。
【発明の詳細な説明】
【技術分野】
【０００１】
この発明は、消音器に関する。
【背景技術】
【０００２】
トランペットなどの管楽器の音量を少なくする目的で使用される消音器がある（例えば特許文献１）。この種の消音器は、一般に、管楽器のベル内に装着される。
【０００３】
ところで、管楽器の吹奏者は、発音される音の音程や音量が適切なものとなるように、唇の筋肉を緊張させるときの具合や息の吹き込み具合を発音毎に瞬間的に調整している。吹奏者は、管楽器を吹奏したときに管楽器が吹奏者にフィードバックする振動や音を頼りにこのような調整を行っている。管楽器が吹奏者にフィードバックする振動や音は、例えば、以下のものが挙げられる。
（１）ベルの端面から放射されて吹奏者の耳に到達する音
（２）管楽器を保持する手などに伝わる吹奏時の管楽器自体の振動
（３）吹奏時のベルの振動によりベルの外壁から放射されて吹奏者の耳に到達する音
（４）マウスピースから唇や歯などに伝わる吹奏時のマウスピースの振動
【先行技術文献】
【特許文献】
【０００４】
【特許文献１】特許第４１２４２３６号公報
【発明の概要】
【発明が解決しようとする課題】
【０００５】
しかし、消音器を管楽器に装着して吹奏すると、ベルの端面から放射される音の音量が減少する。また、消音器を管楽器に装着すると消音器とベルとが接触するため、吹奏時に生じる管楽器の振動が消音器により抑制される。このため、管楽器を保持する手などに伝わる管楽器の振動が減少する。また、ベルの振動が抑制されるため、ベルの外壁から放射されて吹奏者の耳に到達する音も減少する。これらより、消音器を管楽器に装着すると、吹奏者は、ベルの端面からの音、管楽器の振動およびベルの外壁からの音を感得し難くなる。すなわち、吹奏者は、管楽器を吹奏したときに管楽器が吹奏者にフィードバックする振動や音を十分に受け取ることができなくなる。従って、これらの振動や音を頼りに、音程や音量が適切なものとなるように、唇の筋肉を緊張させるときの具合や息の吹き込み具合を発音毎に瞬間的に調整する、ということが難しくなる。
【０００６】
この発明は以上のような事情に鑑みてなされたものであり、消音器を管楽器に装着して吹奏したときにおいても、吹奏者にフィードバックされるべき振動や音を吹奏者が十分に受け取ることができる技術的手段を提供することを目的としている。
【課題を解決するための手段】
【０００７】
この発明は、後端側から管楽器のベルに挿入される本体部と、前記本体部とともに前記ベルに挿入され、前記ベル内に生じる音を収音する収音手段と、吹奏者にフィードバックする振動または音を前記収音手段が収音した音に基づいて生成する生成手段と、を具備することを特徴とする消音器を提供する。
【０００８】
この発明によれば、収音手段が収音した音に基づいて吹奏者にフィードバックする振動または音が生成される。これにより、吹奏者にフィードバックする振動または音が減少しない。従って、消音器を管楽器に装着して吹奏したときにおいても、吹奏者は、吹奏者にフィードバックされるべき振動または音を十分に受け取ることができる。このため、本消音器を用いれば、吹奏者は、音程や音量が適切なものとなるように唇の筋肉を緊張させるときの具合や息の吹き込み具合を発音毎に瞬間的に調整する、ということを、フィードバックされた振動または音を頼りに、消音器を装着しないで吹奏したときと同様に行うことができる。
【図面の簡単な説明】
【０００９】
【図１】この発明の第１実施形態による消音器１の構成を示す縦断面図である。
【図２】この発明の第２実施形態による消音器１Ａの構成を示す縦断面図である。
【図３】この発明の第３実施形態による消音器１Ｂの構成を示す縦断面図である。
【発明を実施するための形態】
【００１０】
以下、図面を参照し、この発明の実施形態について説明する。
＜第１実施形態＞
図１は、この発明の第１実施形態による消音器１の構成を示す縦断面図である。本実施形態による消音器１は、トランペット用の消音器である。図１は、消音器１をトランペットのベル３に装着した状態を示す。消音器１は、胴部１１と底部１２とから構成される本体部１０を有する。本体部１０には、マイクロフォン３３が固定されている。本実施形態による消音器１は、このマイクロフォン３３によりベル３内に生じる音を収音し、マイクロフォン３３が収音した音に基づいてベル３に固定された加振器２０を動作させて、トランペットを振動させるものである。
【００１１】
胴部１１は、その内側に空洞１３を有する略円錐管形状の中空の管体である。この胴部１１は、前端である大径側端１１ａから後端である小径側端１１ｂに向かってトランペットのベル３の内壁に沿うようにして外径および内径が小さくなっている。ここで、管楽器（トランペット）におけるベル３とは、音量を増大させるために管楽器の管の径が徐々に広げられた呼気の排出口付近の部分のことを言う。後端である小径側端１１ｂは開口している。小径側端１１ｂ近傍の胴部１１の外壁には、柔軟な素材からなる取り付け部１４が設けられている。消音器１は、小径側端１１ｂ側からトランペットのベル３に挿入される。そして、胴部１１は、小径側端１１ｂ近傍において、取り付け部１４を介してベル３の内壁に固定される。
【００１２】
本体部１０の前端には底部１２がある。底部１２は、皿状であり、皿の底の部分が胴部１１の軸近傍に位置している。また、底部１２の縁の部分は、胴部１１の大径側端１１ａと接着剤等により接合されている。底部１２は、胴部１１の前端である大径側端１１ａを閉塞する閉塞部として機能し、大径側端１１ａは閉塞端となっている。また、底部１２は、胴部１１がトランペットのベル３の内壁に固定されたときにベル３の端面近傍に位置する。より詳細には、底部１２と胴部１１の接合部近傍がベル３の端面に位置し、底部１２は、当該底部１２が湾曲している分だけベル３の端面よりも外側（前方側）に突出する。
【００１３】
底部１２の内壁には、Ｕ字パイプ１６の一端が固定されている。底部１２のＵ字パイプ１６が固定されている部分には、貫通孔１５が設けられている。Ｕ字パイプ１６の内径および貫通孔１５の径は、トランペットのマウスピースの最小内径と同径以上となっている。Ｕ字パイプ１６の他端は、底部１２の内壁近傍において開口している。トランペットのマウスピースから吹き込まれトランペット内を通過し、消音器１の胴部１１の小径側端１１ｂから消音器１内の空洞１３に導入された呼気は、Ｕ字パイプ１６を通過し貫通孔１５から消音器１の外部の空間に排出される。
【００１４】
また、底部１２の中心近傍における本体部１０の内部側には、支持部３２が設けられている。支持部３２は、底部１２から胴部１１の小径側端１１ｂ方向に胴部１１の軸に沿って配置されるパイプ３１を支えるための部材である。パイプ３１の先端にはマイクロフォン３３が取り付けられている。マイクロフォン３３は、本体部１０とともにベル３内に挿入される。マイクロフォン３３は、消音器１をトランペットに装着して吹奏したときにおけるベル３内に生じる音の音圧を検知する収音手段である。パイプ３１の内部にはマイクロフォン３３に接続された信号線３４が挿通されている。信号線３４は、底部１２の中心に設けられた信号出力部３５に接続されている。また、パイプ３１のマイクロフォン３３側端近傍には、音程調節部３６が固定されている。音程調節部３６は、ベル３の内壁に沿うようにしてパイプ３１のマイクロフォン３３側端に向かって外径および内径が小さくなっている。音程調節部３６の大径側端３６ａは開口しており、同小径側端３６ｂはパイプ３１の先端において閉塞している。
【００１５】
加振器２０は、当該加振器２０を取り付けた対象物を振動させる装置である。加振器２０は、例えば、圧電素子を用いた圧電型加振器や電磁コイルを用いた電磁型加振器などである。加振器２０は、加振面がトランペットの外壁に当接するようにしてトランペットに固定される。より好適には、加振器２０は、ベル３の端面近傍におけるベル３の外壁に固定される。このため、加振器２０は、トランペット、特にトランペットのベル３を振動させる。
【００１６】
信号処理部４０は、マイクロフォン３３の出力信号を増幅等して加振器２０へ出力する信号を生成する装置である。すなわち、信号処理部４０は、収音手段の出力信号に信号処理を施して加振器２０へ出力する信号処理手段である。信号処理部４０は、信号線４４を介して信号出力部３５に接続され、信号線４５を介して加振器２０に接続される。信号処理部４０は、マイクロフォンアンプ４１と、ボリューム４２と、パワーアンプ４３とを含んでいる。マイクロフォンアンプ４１は、信号出力部３５を介して入力されるマイクロフォン３３の出力信号を増幅する回路である。ボリューム４２は、可変抵抗を利用したものである。ボリューム４２は、固定抵抗と、固定抵抗に接触し、かつ、その接触位置を摺動可能な摺動子とを有している。ボリューム４２は、摺動子を摺動させてその位置を決めることによりボリューム４２から出力される信号の大きさを変えることができるものである。すなわち、ボリューム４２は、加振器２０の振動の大きさを調整するための部材である。パワーアンプ４３は、ボリューム４２の出力信号を加振器２０を動作させるレベルまで増幅する回路である。パワーアンプ４３の出力信号は、信号線４５を介して加振器２０に入力される。従って、加振器２０は、マイクロフォン３３が収音した音を信号処理部４０を介して受け取る。
【００１７】
本実施形態による消音器１の加振器２０は、マイクロフォン３３が収音した音に基づいてトランペット自体を振動させる。また、加振器２０は、マイクロフォン３３が収音した音に基づいてベル３を振動させることにより、ベル３の外壁から音を放射させる。これらトランペット自体の振動やベル３の外壁から放射される音は、吹奏したときに吹奏者にフィードバックされるべき振動や音である。従って、加振器２０は、吹奏者にフィードバックする振動または音（あるいはその両方）を収音手段が収音した音に基づいて生成する生成手段である。より具体的には、加振器２０は、トランペットを振動させる加振手段である。
以上が、消音器１の構成である。
【００１８】
次に、本実施形態による消音器１の動作を説明する。まず、ユーザ（吹奏者）は、信号出力部３５と信号処理部４０との間に信号線４４を接続し、加振器２０と信号処理部４０との間に信号線４５を接続する。次に、ユーザは、加振器２０をベル３の外壁に取り付ける。次に、ユーザは、胴部１１の小径側端１１ｂ側から消音器１をトランペットのベル３内に挿入して胴部１１をベル３の内壁に固定する。そして、ユーザは、トランペットを吹奏する。
【００１９】
ユーザの吹奏によりベル３内に生じた音は、消音器１のマイクロフォン３３によって収音される。マイクロフォン３３は、収音した音を示す信号を出力する。マイクロフォン３３の出力信号は、信号線３４、信号出力部３５、信号線４４を介して信号処理部４０のマイクロフォンアンプ４１に引き渡される。マイクロフォン３３の出力信号は、マイクロフォンアンプ４１により増幅され、ボリューム４２により信号の大きさが調整され、パワーアンプ４３により加振器２０を動作させるレベルまで増幅される。パワーアンプ４３の出力信号は、信号線４５を介して加振器２０に引き渡される。加振器２０は、パワーアンプ４３の出力信号により動作する。すなわち、加振器２０は、マイクロフォン３３が収音した音に基づいてトランペット（特にベル３）を振動させる。これにより、吹奏者にフィードバックするトランペット自体の振動やベル３の外壁から放射される音が生成される。
【００２０】
このように、本実施形態による消音器１は、ベル３内に生じる音を収音するマイクロフォン３３と、吹奏者にフィードバックする振動または音（あるいはその両方）をマイクロフォン３３が収音した音に基づいて生成する加振器２０とを有している。具体的には、加振器２０は、マイクロフォン３３が収音した音に基づいてトランペットを加振することにより、吹奏者にフィードバックするトランペット自体の振動やベル３の外壁から放射される音を生成する。従来の消音器では、消音器を装着すると吹奏者にフィードバックされるべき振動や音が減少してしまう。しかし、本実施形態による消音器１では、吹奏者にフィードバックする振動や音が生成されるため、その振動や音は減少しない。すなわち、本実施形態による消音器１は、消音器が装着されることにより減少してしまう吹奏者にフィードバックされるべき振動や音を加振器２０により補うことができる。本実施形態による消音器１では、吹奏したときのトランペット自体の振動が減少しないため、そのトランペット自体の振動が当該トランペットを保持する手などに十分に伝わる。このため、ユーザは、トランペット自体の振動を容易に感得することができる。また、本実施形態による消音器１では、ベル３の外壁から放射される音が減少しないため、そのベル３の外壁から放射される音がユーザの耳に十分に到達する。これは、特に加振器２０をベル３の外壁に取り付けた場合に顕著である。このため、ユーザは、ベル３の外壁から放射される音を容易に感得することができる。すなわち、ユーザは、吹奏したときに吹奏者にフィードバックされるべき振動や音（本実施形態ではトランペット自体の振動やベル３の外壁からの音）を十分に受け取ることができる。このため、本実施形態による消音器１を装着して吹奏した場合、ユーザは、音程や音量が適切なものとなるように唇の筋肉を緊張させるときの具合や息の吹き込み具合を発音毎に瞬間的に調整する、ということを、トランペット自体の振動やベルの外壁からの音を頼りに、消音器を装着しないで吹奏したときと同様に行うことができる。
【００２１】
なお、本実施形態による消音器１では、加振器２０をトランペットのベル３の外壁に取り付けていたが、加振器２０をベル３の内壁（より具体的にはベル３の内壁と胴部１１の外壁との間の間隙におけるベル３の内壁）に取り付けても良い。この態様においても、加振器２０は、ユーザの吹奏によりトランペットを振動させるからである。
【００２２】
また、加振器２０を消音器１（より具体的には本体部１０）に取り付けても良い。例えば、加振器２０を消音器１の底部１２の外壁に取り付けると、加振器２０により底部１２が振動する。底部１２の振動は胴部１１に伝わり、胴部１１に伝わった振動はトランペットに伝わる。すなわち、加振器２０の振動が消音器１を介してトランペットに伝わる。従って、加振器２０を消音器１に取り付けた場合においても加振器２０をトランペットに取り付けた場合と同様に、トランペットの振動を容易に感得することができる。
【００２３】
＜第２実施形態＞
図２は、この発明の第２実施形態による消音器１Ａの構成を示す縦断面図である。本実施形態による消音器１Ａは、信号処理部４０に代えて、信号加工部４６を含む信号処理部４０Ａを設けた点において第１実施形態による消音器１と異なる。
【００２４】
信号加工部４６は、Ａ／Ｄ変換回路と、ＤＳＰ（Ｄｉｇｉｔａｌ  Ｓｉｇｎａｌ  Ｐｒｏｃｅｓｓｏｒ：デジタルシグナルプロセッサ）と、Ｄ／Ａ変換回路とを含んでいる。信号加工部４６は、マイクロフォンアンプ４１から入力されるアナログ信号をデジタル信号に変換し、ＤＳＰにより各種の信号加工処理を施し、その処理が施されたデジタル信号をアナログ信号に変換し、ボリューム４２へ出力する。すなわち、信号加工部４６を含む信号処理部４０Ａは、各種の信号加工処理を施したマイクロフォン３３の出力信号を加振器２０に出力する。
【００２５】
信号加工部４６は、例えば、加振器２０に以下（例１〜４）に例示する動作をさせる信号加工処理を行う。
（例１）マイクロフォン３３の出力信号の振幅が所定の閾値を越えたときに、加振器２０を所定の周波数および振幅で振動させる。
例えば、マイクロフォン３３の出力信号の振幅が所定の閾値を越えたときに、信号加工部４６は、吹奏があったことを検知する。そして、吹奏があったことを検知した信号加工部４６は、加振器２０を所定の周波数および振幅で振動させる信号加工処理を行う。従って、この例によれば、マイクロフォン３３が所定の閾値以下の音を収音しても加振器２０が動作しないため、吹奏以外の雑音等により加振器２０が動作することを回避することができる。
（例２）マイクロフォン３３の出力信号の振幅に応じて加振器２０の振動の振幅を変化させる。
例えば、マイクロフォン３３が収音する音量が小さい場合、その収音した音量に対応する振幅よりも大きな振幅で加振器２０を振動させる。すなわち、消音器１Ａを装着しないで吹奏したときのトランペットの振動の振幅よりも大きな振幅でトランペットを振動させる。この例によれば、トランペットの振動をより容易に感得することができる。そして、トランペットの振動を感得するのに慣れていない初心者等にトランペットの振動を感得させる場合などにおいて有益である。
（例３）マイクロフォン３３の出力信号の周波数に応じて加振器２０の周波数を変化させる。
例えば、マイクロフォン３３が収音する音程が低い場合、その収音した音程に対応する周波数よりも高い周波数（例えば倍音の周波数など）で加振器２０を振動させる。すなわち、消音器１Ａを装着しないで吹奏したときのトランペットの振動の周波数よりも高い周波数でトランペットを振動させる。この例においても上記例２と同様、トランペットの振動をより容易に感得することができる。
（例４）マイクロフォン３３の出力信号の基本周波数で加振器２０を振動させる。
例えば、信号加工部４６は、マイクロフォン３３の出力信号に含まれる複数の周波数成分の中から吹奏時の音程を示す基本周波数を抽出し、その基本周波数で加振器２０を振動させる信号加工処理を行う。これにより、トランペットはその基本周波数で振動する。従って、この例によれば、トランペットの振動が示す音程（すなわち吹奏時の音程）がより分かり易くなる。そして、音程のずれを調整し易くなる。
なお、信号加工部４６が行う信号加工処理は、上記例１〜４の態様に限られない。
【００２６】
このように、信号処理部４０Ａに信号加工部４６を設けると、マイクロフォン３３の出力信号に応じて加振器２０に様々な動作をさせることができる。従って、トランペットの振動をより効果的にユーザ（吹奏者）に感得させることができる。また、本実施形態においても、第１実施形態と同様な効果を奏する。
【００２７】
＜第３実施形態＞
図３は、この発明の第３実施形態による消音器１Ｂの構成を示す縦断面図である。本実施形態による消音器１Ｂは、消音器をトランペットに装着したときに消音器の前端がベル３の端面近傍に位置する構成に代えて、同消音器の前端がベル３の端面から大きく突出する構成とし、加振器２０に代えてスピーカ６０を設けた点において第１実施形態による消音器１と異なる。すなわち、本実施形態による消音器１Ｂは、吹奏者にフィードバックする振動または音を生成する生成手段としてスピーカ６０を用いたものである。
【００２８】
消音器１Ｂの本体部５０は、第１の胴部５１と第２の胴部５２と閉塞部５３と椀状部材５４とから構成されている。第１の胴部５１および第２の胴部５２は、各々略円錐管状の中空の管体である。第１の胴部５１は、その内面が内側方向に突出する凸曲面となるように湾曲している。第１の胴部５１の小径側端近傍の外壁は、その第１の胴部５１の内側方向に巻き込まれるように曲がっている。そして、第１の胴部５１の小径側端は、第１の胴部５１の内側に配置されているパイプ５５の一端に連続している。パイプ５５は、第１の胴部５１の小径側端から第１の胴部の内側に向かって内径が絞られている。パイプ５５の最小内径はマウスピースの最小内径と同径以上である。パイプ５５は両端が開口しており、第１の胴部５１の内外の空間はパイプ５５を介して連通している。パイプ５５の軸は第１の胴部５１の軸に平行している。また、第１の胴部５１の大径側端は開口している。
【００２９】
第２の胴部５２は、大径側端および小径側端は各々開口している。第２の胴部５２は、大径側端から小径側端に向かって緩やかに外径および内径が小さくなっている。第２の胴部５２の小径側端は、消音器１Ｂの本体部５０の後端となっている。第２の胴部５２の小径側端近傍の外壁には、取り付け部５７が設けられている。消音器１Ｂは、取り付け部５７を介してトランペットのベル３に固定される。第２の胴部５２の大径側端と第１の胴部５１の大径側端は、接着剤等により接合されている。これにより、第１の胴部５１と第２の胴部５２は空洞５８を有する１の胴部として機能する。また、消音器１Ｂは、第１の胴部５１と第２の胴部５２の接合部において最大内径を有する。
【００３０】
閉塞部５３は、椀状をなしている。閉塞部５３は、椀の底の内壁が第１の胴部５１の小径側端に当接しないようにして閉塞部５３内に第１の胴部５１を収容している。閉塞部５３の縁は、第１の胴部５１の大径側端近傍の外壁に固定されている。閉塞部５３の内壁と第１の胴部５１の外壁との間には空洞５９が形成されている。閉塞部５３の縁と第１の胴部５１の大径側端近傍の外壁との間には、貫通孔５６が設けられている。第２の胴部５２の小径側端から空洞５８に導入された呼気は、パイプ５５を通過し、空洞５９に入り、貫通孔５６から消音器１Ｂの外部の空間に排出される。
【００３１】
第２の胴部５２の大径側端近傍の内壁には、当該内壁から第２の胴部５２の軸に向かって延びる支持部７２が固定されている。支持部７２内には信号出力部７５が設けられており、信号出力部７５の出力端子は、第２の胴部５２の壁面から消音器１Ｂの外部に露出している。支持部７２における第２の胴部５２の軸側端近傍の外壁には、当該支持部７２から第２の胴部５２の軸に沿って第２の胴部５２の小径側端方向に延びるパイプ７１が固定されている。パイプ７１の先端にはマイクロフォン７３が固定されている。マイクロフォン７３は、第２の胴部５２の小径側端の端面よりも少し内側に配置されている。マイクロフォン７３は、本体部５０とともにベル３内に挿入される。マイクロフォン７３は、ベル３内に生じる音の音圧を検知する収音手段である。パイプ７１内にはマイクロフォン７３に接続された信号線７４が挿通されている。信号線７４は支持部７２内に設けられた信号出力部７５に接続されている。
【００３２】
椀状部材５４は、椀状をなしている。閉塞部５３の底近傍は、椀状部材５４の縁側端から椀状部材５４内に挿入されている。そして、椀状部材５４の縁は、閉塞部５３の底と閉塞部５３の縁との間における閉塞部５３の外壁に固定されている。椀状部材５４の底の部分は、消音器１Ｂの本体部５０の前端となっている。椀状部材５４の底の部分には開口部が設けられている。この開口部には、消音器１Ｂの軸に垂直に配置されたスピーカ６０が固定されている。すなわち、スピーカ６０は、椀状部材５４に固定されている。スピーカ６０は、収音手段が収音した音に基づいて動作する。スピーカ６０は、吹奏者にフィードバックする振動や音を収音手段が収音した音に基づいて生成する生成手段である。具体的には、スピーカ６０は、トランペットを振動させる加振手段であるとともに、収音手段が収音した音を放音する放音手段である。また、スピーカ６０は閉塞部５３に当接していない。また、閉塞部５３の外壁と椀状部材５４の内壁との間には空洞６１が形成されている。すなわち、閉塞部５３は、本体部５０の前端と後端との間において、本体部５０の内部の空間を前後に分けている。そして、閉塞部５３により前後に分けられた前端側の空洞６１は、スピーカ用キャビティとして機能する。また、スピーカ６０の振動板は、椀状部材５４の外部の空間に対向している。すなわち、スピーカ６０が動作することにより発音される音は、消音器１Ｂの前端から前方側へ向けて放音される。
【００３３】
信号処理部４０は、第１実施形態の信号処理部４０と同様である。本実施形態の信号処理部４０は、その信号処理部４０の出力先がスピーカ６０である点において第１実施形態による信号処理部４０と異なる。また、信号処理部４０のボリューム４２は、スピーカ６０から放音される音量の調整に利用される。
以上が、消音器１Ｂの構成である。
【００３４】
次に、本実施形態による消音器１Ｂの動作を説明する。まず、ユーザは、信号出力部７５と信号処理部４０との間に信号線４４を接続し、スピーカ６０と信号処理部４０との間に信号線４５を接続する。次に、ユーザは、第２の胴部５２の小径側端側から消音器１Ｂをトランペットのベル３内に挿入して消音器１Ｂの本体部５０をベル３の内壁に固定する。そして、ユーザは、トランペットを吹奏する。
【００３５】
マイクロフォン７３は、ユーザの吹奏によりベル３内に生じた音を収音し、その音を示す信号を出力する。マイクロフォン７３の出力信号は、信号処理部４０に引き渡される。信号処理部４０は、第１実施形態の信号処理部４０における処理と同様な処理を行う。信号処理部４０による処理が施されたマイクロフォン７３の出力信号は、信号線４５を介してスピーカ６０に引き渡される。そして、スピーカ６０は、この引き渡された信号により動作する。
【００３６】
ここで、スピーカ６０は椀状部材５４に固定されているため、スピーカ６０が動作することにより生じるスピーカ６０自体の振動は、椀状部材５４に伝わる。また、椀状部材５４は閉塞部５３および第１の胴部５１を介して第２の胴部５２に固定されているため、椀状部材５４に伝わる振動は第２の胴部５２に伝わる。また、第２の胴部５２はベル３の内壁に固定されているため、第２の胴部５２に伝わる振動はベル３に伝わる。すなわち、スピーカ６０の振動がトランペット（特にベル３）に伝わる。このため、トランペット自体が振動し、ベル３の外壁から音が放射される。
従って、第１実施形態と同様の効果を奏する。
【００３７】
また、スピーカ６０は消音器１Ｂの前端に固定されている。すなわち、スピーカ６０は、ベル３の端面に比較的近い位置にある。このため、スピーカ６０から放音される音は、ベル３の端面から前方へ放音されているように感得される。換言すると、消音器１Ｂを装着しないで吹奏したときと同様な方向から吹奏音が聴こえる。従って、ユーザや聴取者は、違和感なく吹奏音を聴くことができる。
【００３８】
また、従来の消音器では、消音器を装着するとベル３の端面から放音される音量が減少する。しかし、本実施形態による消音器１Ｂでは、マイクロフォン３３が収音した音がスピーカ６０から放音される。すなわち、本実施形態による消音器１Ｂは、消音器が装着されることにより減少してしまう音量をスピーカ６０により補うことができる。これにより、ユーザは、吹奏者にフィードバックされるべき音を十分な音量で受け取ることができる。このため、音程や音量が適切なものとなるように唇の筋肉を緊張させるときの具合や息の吹き込み具合を発音毎に瞬間的に調整する、ということを、スピーカからの音も頼りに行うことができるようになる。また、イヤホンなどを装着する煩わしさがない。
【００３９】
また、スピーカ６０の音量は、信号処理部４０のボリューム４２により調整することができる。このため、例えば、消音器を使用せずに吹奏すると音量が大きすぎ消音器を使用して吹奏すると音量が小さすぎる、というような場合に、ボリューム４２を操作してスピーカ６０の音量を調整することで所望の音量で吹奏することができる。
【００４０】
また、閉塞部５３の外壁と椀状部材５４の内壁とからなる空洞６１をスピーカ用キャビティとして有効利用している。このため、スピーカ６０が設けられた消音器１Ｂをコンパクトにすることができる。
【００４１】
＜他の実施形態＞
以上、この発明の第１から第３実施形態について説明したが、この発明には他にも実施形態が考えられる。例えば次の通りである。
【００４２】
（１）上記各実施形態では、トランペット用の消音器１〜１Ｂを例に説明したが、トランペット以外の管楽器に用いる消音器においても同様な消音器を設計することができるのは勿論である。
【００４３】
（２）上記各実施形態による消音器１〜１Ｂの信号処理部４０および４０Ａは、消音器１〜１Ｂの本体部１０および５０、加振器２０およびスピーカ６０から独立していた。しかし、信号処理部４０および４０Ａを消音器１〜１Ｂの本体部１０および５０に搭載しても良いし、加振器２０およびスピーカ６０に搭載しても良い。この態様によれば、本体部１０および５０と信号処理部４０および４０Ａとを繋ぐ信号線４４、または加振器２０やスピーカ６０と信号処理部４０および４０Ａとを繋ぐ信号線４５を減らすことができる。
【００４４】
（３）上記第１および第２実施形態による消音器１および１Ａは、消音器を管楽器に装着したときに消音器の前端がベル３の端面近傍に位置する消音器に加振器２０を付加したものであった。しかし、消音器を管楽器に装着したときに消音器の前端がベル３の端面から前方に大きく突出する消音器に加振器２０を付加しても良い。また、上記第３実施形態による消音器１Ｂは、消音器を管楽器に装着したときに消音器の前端がベル３の端面から前方に大きく突出する消音器にスピーカ６０を設けたものであった。しかし、消音器を管楽器に装着したときに消音器の前端がベル３の端面近傍に位置する消音器にスピーカ６０を設けても良い。
【００４５】
（４）上記各実施形態の特徴を組み合わせても良い。例えば、第３実施形態による消音器１Ｂにさらにベル３に固定する加振器２０を設ける、という具合に、加振器２０とスピーカ６０の両方を設けても良い。これにより、管楽器の振動をより容易に感得することができる。また、加振器２０とスピーカ６０の両方を設けた場合、スピーカ６０から放音される音量と加振器２０の振動のバランスを変化させても良い。例えば、マイクロフォン３３および７３の出力信号の振幅が閾値を越えた場合に、スピーカ６０から放音される音量にはリミットをかけて所定音量よりも大きな音量とならないようにしつつ、加振器２０の振動にはリミットをかけずに加振器２０を大きく振動させる、という具合である。この態様では、小さな音量で吹奏することができるとともに、管楽器の振動をより容易に感得することができる。
【００４６】
（５）上記各実施形態による消音器１〜１Ｂでは、加振器２０およびスピーカ６０により管楽器の振動を容易に感得することができる。加えて、マイクロフォン３３および７３により収音したベル３内の音をイヤホンなどにより聴くことができるようにしても良い。また、この場合上述の変形例（４）と同様に、音量と振動のバランスを変化させても良い。
【００４７】
（６）上記第２実施形態と同様に、第３実施形態の消音器１Ｂの信号処理部４０に信号加工部４６を設けても良い。これにより、第２実施形態と同様の効果を奏する。また、第３実施形態の消音器１Ｂの信号処理部４０に追加する信号加工部４６は、マイクロフォン７３の出力信号が示す音の音質を補正する処理や、マイクロフォン７３の出力信号に例えばリバーブなどのエフェクトを施す処理などを行っても良い。このようにすると、吹奏による表現の幅が広がる。
【００４８】
（７）上記第３実施形態による消音器１Ｂでは、スピーカ６０が固定されている椀状部材５４は閉塞部５３に固定されていた。しかし、椀状部材５４を閉塞部５３に対して着脱可能としても良い。この態様によれば、スピーカ６０を使用しない場合に椀状部材５４を取り外すことにより、消音器１Ｂを軽くすることができる。
【００４９】
（８）上記第３実施形態による消音器１Ｂの椀状部材５４にバスレフポートを設けても良い。この態様によれば、スピーカ６０の周波数特性における低域の音圧レベルを持ちあげることができる。
【００５０】
（９）上記第３実施形態による消音器１Ｂでは、閉塞部５３の前方にスピーカ用キャビティとして機能する空洞６１を形成するように椀状部材５４およびスピーカ６０を設けていた。しかし、スピーカ用キャビティを形成しないようにスピーカ６０を本体部５０に固定しても良い。スピーカ６０が本体部５０に固定されていればスピーカ６０自体の振動が管楽器に伝達され、管楽器自体を振動させることができるからである。また、この態様によれば、スピーカ６０の振動板の前面から放射される音と振動板の背面から放射される音とが干渉するため、スピーカ６０自体の振動を保持しつつ、スピーカ６０からの音量を小さくすることができる。
【００５１】
（１０）上記第３実施形態による消音器１Ｂにおいて、スピーカ６０の前面を蓋のような部材で塞いでも良い。この態様によれば、スピーカ６０自体の振動を保持しつつ、スピーカ６０からの音量を小さくすることができる。従って、管楽器の振動を容易に感得することができるとともに、小さな音量で吹奏することができる。また、スピーカ６０を制振部材を有するスピーカとしても良い。この態様によれば、管楽器の振動を抑制しつつ大きな音量で吹奏することができる。すなわち、吹奏者にフィードバックするのは、振動と音のどちらか一方であっても良い。振動と音のどちらか一方を十分に受け取ることができれば、音程や音量を調整するための動作を行うことができるからである。
【００５２】
（１１）上記各実施形態による消音器１〜１Ｂにおける収音手段は、マイクロフォン３３および７３であった。しかし、収音手段はマイクロフォン３３および７３に限られない。例えば、消音器に呼気の流量を測定する流量センサを設け、呼気の流量をベル３内に生じる音を示すパラメータとして取得し、呼気の流量を加振器２０の振動に対応させて加振器２０を動作させても良い。この例のようにすれば、流量センサを収音手段として機能させることもできる。
【００５３】
（１２）消音器に複数のセンサおよびマイクロフォンを設けてそれらを併用しても良い。例えば、マウスピースとユーザ（吹奏者）の唇との距離を検出する距離センサとマイクロフォン３３とを設けて、距離センサとマイクロフォン３３の両方に入力があった場合に加振器２０を振動させるという具合である。この態様によれば、吹奏していないときに加振器２０が動作するというような誤動作を回避することができる。また、距離センサに限られず、例えば、マウスピースへの唇の接触圧を検出する圧力センサなどを用いても良い。
【符号の説明】
【００５４】
１，１Ａ，１Ｂ…消音器、３…ベル、１０，５０…本体部、１１…胴部、１１ａ，３６ａ…大径側端、１１ｂ，３６ｂ…小径側端、１２…底部、１３，５８，５９，６１…空洞、１４，５７…取り付け部、１５，５６…貫通孔、１６…Ｕ字パイプ、２０…加振器、３１，５５，７１…パイプ、３２，７２…支持部、３３，７３…マイクロフォン、３４，４４，４５，７４…信号線、３５，７５…信号出力部、３６…音程調節部、４０，４０Ａ…信号処理部、４１…マイクロフォンアンプ、４２…可変抵抗、４３…パワーアンプ、４６…信号加工部、５１…第１の胴部、５２…第２の胴部、５３…閉塞部、５４…椀状部材、６０…スピーカ。
【図１】
2015052655.tif 000003
【図２】
2015052655.tif 000004
【図３】
2015052655.tif 000005